(57)【要約】      （修正有）【課題】コンピュータ内に差し込むＵＳＢ３．０差込口を有する拡張カードを提供する。【解決手段】この拡張カード１００は、拡張カード本体１０、マザーボードのインターフェース、ＵＳＢ３．０差込口３０及び変換回路板４０を含む。拡張カード本体は、相対する第一端部１１及び第二端部１２を有する。マザーボードのインターフェースは、拡張カード本体の第一端部中に形成され、コンピュータへの接続に供される。ＵＳＢ３．０差込口は、拡張カード本体の第二端部中に埋設して形成されている。変換回路板は、拡張カード本体内に設けられ、ＵＳＢ３．０のインターフェース信号をマザーボートのインターフェースの信号に変換する。ＵＳＢ３．０差込口が拡張カード本体の第二端部に埋設して形成されている設計により、拡張カード全体の構造がコンパクトになり、且つコンピュータに差し込んだときぶつかりにくくなる。【選択図】図１
0003162294.tif 000002
【実用新案登録請求の範囲】
【請求項１】
コンピュータ内に差し込む、ＵＳＢ３．０差込口を有する拡張カードであって、
相対する第一端部及び第二端部を有する拡張カード本体と、
拡張カード本体の第一端部中に形成され、コンピュータへの接続に供されるマザーボードのインターフェースと、
拡張カード本体の第二端部中に埋設して形成されているＵＳＢ３．０差込口と、
拡張カード本体内に設けられ、ＵＳＢ３．０のインターフェース信号をマザーボートのインターフェースの信号に変換する変換回路板とを含む拡張カード。
【請求項２】
ＵＳＢ３．０差込口がＵＳＢ３．０Ｓｔａｎｄａｒｄ−Ａ差込口である、請求項１に記載のＵＳＢ３．０差込口を有する拡張カード。
【請求項３】
ＥｘｐｒｅｓｓＣａｒｄであり、マザーボードのインターフェースがＰＣＩ  Ｅｘｐｒｅｓｓインターフェースである、請求項１または２に記載のＵＳＢ３．０差込口を有する拡張カード。
【請求項４】
拡張カード本体の第二端部が凹設されて凹槽を形成し、ＵＳＢ３．０差込口が絶縁舌片及び９個の電極を有し、舌片が凹槽中に設けられ且つ変換回路板に接続され、前記電極が舌片上に設けられ変換回路板と電気的接続を形成する、請求項１〜３のいずれか一項に記載のＵＳＢ３．０差込口を有する拡張カード。
【請求項５】
凹槽の側壁が内側に向かって突出して２つの爪を形成している、請求項１〜４のいずれか一項に記載のＵＳＢ３．０差込口を有する拡張カード。
【考案の詳細な説明】
【技術分野】
【０００１】
本考案は、コンピュータ設備に用いられ、ＵＳＢ３．０差込口を有する拡張カードに関する。
【背景技術】
【０００２】
ＵＳＢ（Ｕｎｉｖｅｒｓａｌ  Ｓｅｒｉａｌ  Ｂｕｓ、ユニバーサルシリアルバス）は、外部の電子装置に接続するシリアルバス規格であり、その最大の特徴はホットプラグ（Ｈｏｔ  ｐｌｕｇ）及びつないですぐに実行できる（Ｐｌｕｇ＆Ｐｌａｙ）の設計にあり、ＵＳＢの利便性によりコンピュータ上でかなり広範に使用されており、現在最も汎用されている規格の１つであると言える。既存のＵＳＢ２．０の最大伝送帯域は４８０Ｍｂｐｓであるが、ハードディスク容量の増大とネットワーク速度の成長に伴い、高画質の映像、画像に対する人々の要求は日々高まっており、既存のＵＳＢ２．０の伝送帯域ではもはや使用者の要求を満たすことができなくなっており、この要求に応えるために生まれたのがＵＳＢ３．０の規格であり、その最大伝送帯域は４．８Ｇｂｐｓとなっている。
【０００３】
図６、７を参照すると、既存のノート型パソコン（９０）は通常ＵＳＢ３．０の差込口を有しておらず、また最初に設置されたＵＳＢ３．０差込口の数が不十分であるので、既存のノート型パソコン（９０）を、ＵＳＢ３．０をサポートする電子装置に接続できるようにするために、ノート型パソコン中に、従来技術のＵＳＢ３．０差込口（９２）を有するインターフェース拡張カード（９１）（例えばＥｘｐｒｅｓｓＣａｒｄ、ＰＣ  Ｃａｒｄ、ＣａｒｄＢｕｓ等）を差し込むことができ、このようにして、インターフェース拡張カード（９１）を介して、ＵＳＢ３．０差込口（９２）を提供することができる。ＵＳＢ３．０差込口（９２）を設けるために、従来技術のインターフェース拡張カード（９１）は、外側に突出して接続部（９３）を形成し、ＵＳＢ３．０差込口（９２）を接続部（９３）内に設けている。しかし、接続部（９３）の体積が大き過ぎるため構造がコンパクトにならず、且つ接続部（９３）がノート型パソコン（９０）の外表面に突出し過ぎてぶつかりやすいので、さらに改善する余地がある。
【考案の概要】
【考案が解決しようとする課題】
【０００４】
これらのことに鑑みて、本考案は、構造がコンパクトで且つコンピュータに差し込んだときぶつかりにくい、ＵＳＢ３．０差込口を有する拡張カードを設計するものである。
【課題を解決するための手段】
【０００５】
前記考案目的を達成するために、本考案で採用する技術手段は、コンピュータ内に差し込む、ＵＳＢ３．０差込口を有する拡張カードを設計することであって、この拡張カードは
相対する第一端部及び第二端部を有する拡張カード本体と、
拡張カード本体の第一端部中に形成され、コンピュータへの接続に供されるマザーボードのインターフェースと、
拡張カード本体の第二端部中に埋設して形成されているＵＳＢ３．０差込口と、
拡張カード本体内に設けられ、ＵＳＢ３．０のインターフェース信号をマザーボートのインターフェースの信号に変換する変換回路板とを含む。
【考案の効果】
【０００６】
本考案の利点は、ＵＳＢ３．０差込口が拡張カード本体の第二端部に埋設して形成されている設計により、拡張カード全体の構造がコンパクトになり、且つコンピュータに差し込んだときぶつかりにくくなる点にある。
【図面の簡単な説明】
【０００７】
【図１】本考案の斜視図である
【図２】本考案の他の角度による斜視図である
【図３】本考案の正面図である
【図４】本考案をコンピュータに差し込んだ平面図である
【図５】本考案をコンピュータに差し込み接続線を配置した平面図である
【図６】従来技術の斜視図である
【図７】従来技術をコンピュータに差し込んだ平面図である
【考案を実施するための形態】
【０００８】
以下に図面と合わせて本考案のより良好な実施形態の例を示し、本考案が所期の目的を達成するために採用する技術手段についてさらに詳述する。
【０００９】
図１、２、４を参照すると、本考案のＵＳＢ３．０差込口（３０）を有する拡張カード（１００）が、コンピュータ（５０）内に差し込まれており、コンピュータ（５０）はマザーボードのインターフェース（５１）及びＵＳＢ２．０差込口（５２）を有する。拡張カード（１００）は、拡張カード本体（１０）、マザーボードのインターフェース（２０）、ＵＳＢ３．０差込口（３０）及び変換回路板（４０）を含む。
【００１０】
前記拡張カード本体（１０）は、相対する第一端部（１１）及び第二端部（１２）を有する。
【００１１】
前記マザーボードのインターフェース（２０）は、拡張カード本体（１０）の第一端部（１１）中に形成されており、コンピュータ（５０）中のマザーボードのインターフェース（５１）に接続するために供される。マザーボードのインターフェース（２０）は、ＰＣＩインターフェース、ＰＣＩ  Ｅｘｐｒｅｓｓインターフェース等でよく、本実施形態においては、拡張カード（１００）はＥｘｐｒｅｓｓＣａｒｄであり、マザーボードのインターフェース（２０）はＰＣＩ  Ｅｘｐｒｅｓｓインターフェースである。
【００１２】
前記ＵＳＢ３．０差込口（３０）は、拡張カード本体（１０）の第二端部（１２）中に埋設して形成されており、ＵＳＢ３．０をサポートする電子装置（図示せず）を接続するために供される。本実施形態においては、ＵＳＢ３．０差込口（３０）は、ＵＳＢ３．０Ｓｔａｎｄａｒｄ−Ａ差込口である。
【００１３】
前述の変換回路板（４０）は、拡張カード本体（１０）内に設けられており、この変換回路板（４０）はＵＳＢ３．０のインターフェース信号をマザーボードのインターフェースの信号に変換し、本実施形態においては、ＵＳＢ３．０のインターフェース信号をＰＣＩ  Ｅｘｐｒｅｓｓインターフェース信号に変換する。
【００１４】
図１、３を参照するとわかるように、拡張カード本体（１０）の第二端部（１２）が凹設されて凹槽（１２１）を形成し、凹槽（１２１）の側壁は内側に向かって突出して２つの爪（１２２）を形成し、前記爪（１２２）は外部から差し込まれたＵＳＢ３．０の差込部（図示せず）を固定するのに用いられる。ＵＳＢ３．０差込口（３０）は、絶縁舌片（３１）及び９個の電極（３２）を有し、舌片（３１）は第二端部（１２）の凹槽（１２１）中に設けられ、且つ舌片（３１）は変換回路板（４０）に接続され、前記電極（３２）は舌片（３１）上に設けられ、変換回路板（４０）と電気的接続を形成する。
【００１５】
図１、５を参照するとわかるように、特に説明を要するのは、外付けのＵＳＢ３．０をサポートする電子装置（７０）が必要とする電流が比較的大きいとき、拡張カード（１００）は接続線（６０）を搭載して一緒に使用する必要があることであり、接続線（６０）は第一差込部（６１）、第二差込部（６２）及び第三差込部（６３）を有する。第一差込部（６１）は拡張カード（１００）のＵＳＢ３．０差込口（３０）に差し込まれ、第二差込部（６２）はコンピュータ（５０）のＵＳＢ２．０差込口（５２）に差し込まれて、余分の電流を提供し、第三差込部（６３）は電子装置（７０）に差し込まれる。したがって、電子装置（７０）はＵＳＢ３．０の伝送帯域によってコンピュータ（５０）と接続することができる上、十分な電流を提供されることも可能である。
【００１６】
総じて言えば、ＵＳＢ３．０差込口（３０）が拡張カード本体（１００）の第二端部（１２）に埋設されて形成されている設計により、拡張カード（１００）全体の構造がコンパクトになり、コンピュータ（５０）に差し込んだとき、ぶつかりにくくなる。
【００１７】
以上述べたのは本考案の好ましい実施形態の例に過ぎず、本考案を如何なる形でも限定するものではなく、本考案は既に好ましい実施形態の例を上記のように開示しているが、それは本考案を限定するものではなく、当該技術分野における一般常識を有する当業者が、本考案の技術思想を逸脱しない範囲において、前記に開示した技術内容を利用してわずかに変更又は修飾する等の同等の変更を加えた同等の実施形態は全て、本考案の技術思想を逸脱しない内容であり、本考案の技術の本質に基づく以上の実施形態に対して行うあらゆる簡単な修正、同等の変更及び修飾はいずれも本考案の技術的範囲に属するものである。
【符号の説明】
【００１８】
１００  拡張カード
１０  拡張カード本体
１１  第一端部
１２  第二端部
１２１  凹槽
１２２  爪
２０  マザーボードのインターフェース
３０  ＵＳＢ３．０差込口
３１  舌片
３２  電極
４０  変換回路板
５０  コンピュータ
５１  マザーボードのインターフェース
５２  ＵＳＢ２．０差込口
６０  接続線
６１  第一差込部
６２  第二差込部
６３  第三差込部
７０  電子装置
９０  ノート型パソコン
９１  インターフェース拡張カード
９２  ＵＳＢ３．０差込口
９３  接続部
【図１】
0003162294.tif 000003
【図２】
0003162294.tif 000004
【図３】
0003162294.tif 000005
【図４】
0003162294.tif 000006
【図５】
0003162294.tif 000007
【図６】
0003162294.tif 000008
【図７】
0003162294.tif 000009